(57)【要約】【課題】簡単な回路追加によりインターロックスイッチの個数に関係なく各インターロックスイッチの開閉検知が可能なカバー開閉検知回路とする。【解決手段】インターロックスイッチＳＷ１，ＳＷ２間に抵抗Ｒ２を形成した分岐線の一方端を接続し、これを順次繰り返してインターロックスイッチＳＷｎ−１，ＳＷｎ間に抵抗Ｒｎを形成した分岐線の一方端を接続するまで繰り返す。また、インターロックスイッチＳＷ１の前段の分岐線に抵抗Ｒ１を配設し、インターロックＳＷｎの後段に抵抗Ｒｎ＋１を形成した分岐線の一方端を接続し、他方を供給電源部１からＡ／Ｄポート５までの接続線上に接続している。【選択図】図１
2004117623.tif 000002
【特許請求の範囲】
【請求項１】
開閉可能なカバーを複数配設し、各カバーの開閉状態を検出する各インターロックスイッチを電源部から直列に接続してなるカバー開閉検知回路において、
前記各インターロックスイッチ接続間に抵抗を形成した分岐線の一方端を接続し、該分岐線の他方端を前記電源部から制御部までの接続線上に順次接続することを特徴とするカバー開閉検知回路。
【発明の詳細な説明】
【０００１】
【発明の属する技術分野】
本発明は、開閉可能なカバーを複数配設した装置に配設されるカバー開閉検知回路に関し、特に、各カバーの開閉状態を検出する各インターロックスイッチを電源部から直列に接続したカバー開閉検知回路に関するものである。
【０００２】
【従来の技術】
従来のプリンタ、ＦＡＸ、複写機等の画像形成装置には、開閉可能なカバーを複数配設し、トナーの交換やＪＡＭ時の搬送路からの用紙取り出し等を適宜カバーを開放して行うが、複数のカバーの開閉を検出する回路としてカバー開閉検知回路を配設している。
【０００３】
このカバー開閉検知回路は、カバー開閉位置にカバーの開閉に連動してスイッチがＯＮ／ＯＦＦするインターロックスイッチを配設していて、図８に示すように、それぞれのインターロックスイッチＳＷ１０，ＳＷ２０の後ろに抵抗分圧回路を設け、インターロックスイッチＳＷ１０，２０の開閉によりＯＮ・ＯＦＦされる駆動負荷部回路２０に供給される２４［Ｖ］の電圧をロジックレベルに分圧し、分圧した電圧をマイコン３０のポートに送り、マイコン３０が検知した電圧の値に応じてインターロックスイッチＳＷ１０，ＳＷ２０の開閉状態を検知できるようにしている。
【０００４】
しかし、図８のような構成では、前段のインターロックスイッチＳＷ１０が開状態になると、このインターロックスイッチＳＷ１０の開状態の検知は可能であるが、前段のインターロックスイッチＳＷ１０にて電圧が寸断されるために、後段のインターロックスイッチＳＷ２０の開閉状態の検知が不可能となってしまう。そのために、カバーの開放によりインターロックスイッチが開状態となった場合、どの箇所のカバーが開放されているかが十分認識できず、どこかのカバーが開放されているということだけをマイコン３０で認識し、マイコン３０から表示部４０へのユーザへのメッセージもカバーが開放されていることのみ表示をしていた。
【０００５】
そこで、従来のカバー開閉検知回路は、図９に示すように、インターロックスイッチＳＷ１０，ＳＷ２０の開閉信号をマイコン３０のポートまで送信する信号線上に例えば５［Ｖ］のロジック電圧を利用した検知スイッチＳＷ１０，ＳＷ２０を各インターロックスイッチＳＷ１０，ＳＷ２０に連動する形で設け、各カバーの開閉検知を行なっていた（特許文献１参照）。
【０００６】
【特許文献１】
特開２０００−３３１５５３号公報
【０００７】
【発明が解決しようとする課題】
ところが、従来のカバー開閉検知回路では、各インターロックスイッチＳＷ１０，ＳＷ２０の開閉状態を検知するのに、５［Ｖ］のロジック電圧を利用した検知スイッチＳＷ１０，ＳＷ２０を配設するために、設置スペースが増大し、機構が複雑となり、部品点数が大幅に増えてコストアップになるという問題があった。また、マイコン３０のポートはインターロックスイッチの数が増える毎に増やす必要があった。
【０００８】
【課題を解決するための手段】
本発明は、上記問題に鑑みてなされたものであり、開閉可能なカバーを複数配設し、各カバーの開閉状態を検出する各インターロックスイッチを電源部から直列に接続してなるカバー開閉検知回路において、前記各インターロックスイッチ接続間に抵抗を形成した分岐線の一方端を接続し、該分岐線の他方端を前記電源部から制御部までの接続線上に順次接続するカバー開閉検知回路としたものである。
【０００９】
【発明の実施の形態】
以下、本発明の実施例について図面を用いて説明する。
図１は、本発明のカバー開閉検知回路で、ｎ個のインターロックスイッチを配設した状態を示す回路図である。所定電圧（本実施例では２４［Ｖ］）を供給する供給電源部１からインターロックスイッチＳＷ１〜ＳＷｎを直列に接続し、最後段に駆動負荷部回路２を配設している。また、各インターロックスイッチＳＷ１〜ＳＷｎの接続間に抵抗を形成した分岐線の一方端を接続し、分岐線の他方端を供給電源部１から制御部であるマイコン３のＡ／Ｄポート５までの接続線上に順次接続している。
【００１０】
本実施例では、インターロックスイッチＳＷ１，ＳＷ２間に抵抗Ｒ２を形成した分岐線の一方端を接続し、これを順次繰り返してインターロックスイッチＳＷｎ−１，ＳＷｎ間に抵抗Ｒｎを形成した分岐線の一方端を接続するまで繰り返している。また、本実施例では、インターロックスイッチＳＷ１の前段の分岐線に抵抗Ｒ１を配設し、インターロックＳＷｎの後段に抵抗Ｒｎ＋１を形成した分岐線の一方端を接続し、他方を供給電源部１からＡ／Ｄポート５までの接続線上に接続している。
【００１１】
また、本実施例では、供給電源部１からＡ／Ｄポート５までの接続線上で抵抗Ｒ２を形成した分岐線と抵抗Ｒ３を形成した分岐線間に抵抗Ｒａ１を形成し、これを順次繰り返して抵抗Ｒｎを形成した分岐線と抵抗Ｒｎ＋１を形成した分岐線間に抵抗Ｒａ−１を形成している。さらに、本実施例では、抵抗Ｒｎ＋１の分岐線の他方端が接続される位置に抵抗Ｒｂを介して接地しており、これによりマイコン３が電圧降下を検知できるようになる。
【００１２】
なお、駆動負荷部回路２は、供給電源部１からの電圧がインターロックスイッチＳＷ１〜ＳＷｎを介して供給されることで動作するモータやクラッチ等の駆動系の回路であり、カバーを開放した時（すなわち、インターロックスイッチＳＷ１〜ＳＷｎが開状態の時）に電圧供給が寸断され直ちに動作を停止する必要がある部品用の回路である。
【００１３】
マイコン３は、抵抗Ｒ１〜Ｒｎ＋１、抵抗Ｒａ１〜Ｒａｎ−１、および抵抗Ｒｂにより形成される抵抗分圧回路で生成されるアナログ電圧をＡ／Ｄポート５にて認識し、マイコン３内またはＲＡＭ等の記憶部に予め記憶している電圧値と比較することで、各インターロックスイッチＳＷ１〜ＳＷｎの開閉状態を検知できるものである。また、表示部４は、本発明のカバー開閉検出回路が搭載される装置の表示部であればよく、本発明ではマイコン３で検知した各インターロックスイッチＳＷ１〜ＳＷｎの開閉状態を表示するものであり、「○○のインターロックスイッチが開状態である」と表示するのではなく、開状態のインターロックスイッチが配設されているカバーに対応して「○○部分のカバーが開放されている」と表示するようにすればよい。
【００１４】
以下、インターロックスイッチが２つの場合について説明する。
図２は、インターロックスイッチＳＷ１，ＳＷ２の両方が開状態の時を示す図である。この時は、図の右側に示すように、抵抗Ｒ２，Ｒ３を除いた抵抗Ｒ１，Ｒａ１，Ｒｂが直列状態で抵抗分圧回路が構成される。この抵抗分圧回路により生成されたアナログ電圧Ｖ１をマイコン３のＡ／Ｄポート５に入力し、マイコン３で記憶または接続される記憶手段の電圧値との比較を行い、インターロックスイッチＳＷ１，ＳＷ２の両方が開状態であることを識別し、その旨表示部４で通知する。
【００１５】
図３は、インターロックスイッチＳＷ１が閉状態、インターロックスイッチＳＷ２が開状態の時を示す図である。この時は、図の右側に示すように、抵抗Ｒ３を除き、抵抗Ｒ１，Ｒ２を並列にして抵抗Ｒａ１，Ｒｂを直列状態で抵抗分圧回路が構成される。この抵抗分圧回路により生成されたアナログ電圧Ｖ２からマイコン３で同様の比較を行い、インターロックスイッチＳＷ１が閉状態、インターロックスイッチＳＷ２が開状態であることを識別し、開状態である旨のみを表示部４で通知する。
【００１６】
図４は、インターロックスイッチＳＷ１が開状態、インターロックスイッチＳＷ２が閉状態の時を示す図である。この時は、図の右側に示すように、抵抗Ｒ２，Ｒ３を直列にしたものと抵抗Ｒａ１を並列にし、それと抵抗Ｒ１，Ｒｂを直列状態で抵抗分圧回路が構成される。この抵抗分圧回路により生成されたアナログ電圧Ｖ３からマイコン３で同様の比較を行い、インターロックスイッチＳＷ１が開状態、インターロックスイッチＳＷ２が閉状態であることを識別し、開状態である旨のみを表示部４で通知する。
【００１７】
図５は、インターロックスイッチＳＷ１，ＳＷ２の両方が閉状態の時を示す図である。この時は、図の右側に示すように、図４とは異なる状態で全ての抵抗を用いて抵抗分圧回路が構成される。この抵抗分圧回路により生成されたアナログ電圧Ｖ４からマイコン３で同様の比較を行い、インターロックスイッチＳＷ１，ＳＷ２の両方が閉状態であることを識別する。両方が開状態である時は、表示部４による通知は特に必要ない。
【００１８】
図２乃至図５に示すように、本発明の簡単な抵抗回路を追加した構成によりマイコン３のＡ／Ｄポート５にて各インターロックスイッチの開閉状態に応じたアナログ電圧を識別することができ、開閉検知ができる。
【００１９】
なお、本実施例では、各分岐線間に抵抗Ｒａ１を配設した場合について説明したが、図６に示すように、各分岐線間に抵抗を形成しない場合でも各インターロックスイッチＳＷ１，ＳＷ２の開閉状態によってマイコン３のＡ／Ｄポート５に入力される電圧値が変化するようになる。また、本実施例では、抵抗Ｒｂを介して接地して抵抗分圧回路を形成し、マイコン３が電圧降下を検知できるようにした場合について説明したが、図７に示すように、抵抗Ｒｂを設けずにマイコン３に電流値を入力するようにしてもよい。さらに、図７において、図６と同様に、抵抗Ｒａ１を省略することも可能である。
【００２０】
【発明の効果】
以上説明したように、本発明のカバー開閉検知回路によれば、簡単な回路追加によりインターロックスイッチの個数に関係なく各インターロックスイッチの開閉検知が可能となる。また、インターロックスイッチの数が増えても制御部（マイコン）のポートが１個で対応することが可能となる。
【図面の簡単な説明】
【図１】本発明のカバー開閉検知回路を示す図である。
【図２】本発明のカバー開閉検知回路の実施例を示す図である。
【図３】本発明のカバー開閉検知回路の実施例を示す図である。
【図４】本発明のカバー開閉検知回路の実施例を示す図である。
【図５】本発明のカバー開閉検知回路の実施例を示す図である。
【図６】本発明のカバー開閉検知回路の他の実施例を示す図である。
【図７】本発明のカバー開閉検知回路の他の実施例を示す図である。
【図８】従来のカバー開閉検知回路を示す図である。
【図９】従来のカバー開閉検知回路を示す図である。
【符号の説明】
１：供給電源部
２：駆動負荷部回路
３：マイコン
４：表示部
５：Ａ／Ｄポート
Ｒ１，Ｒ２，Ｒ３，Ｒｎ＋１，Ｒａ１，Ｒａｎ−１，Ｒｂ：抵抗
ＳＷ１〜ＳＷｎ：インターロックスイッチ
【図１】
2004117623.tif 000003
【図２】
2004117623.tif 000004
【図３】
2004117623.tif 000005
【図４】
2004117623.tif 000006
【図５】
2004117623.tif 000007
【図６】
2004117623.tif 000008
【図７】
2004117623.tif 000009
【図８】
2004117623.tif 000010
【図９】
2004117623.tif 000011